(57)【特許請求の範囲】
【請求項１】
放電空間を挟み対向する一対の基板と、前記一対の基板の内面上に設けられ、平坦な表面を有する誘電体層内に放電ギャップだけ離れて配置された一対のサスティン電極と、誘電体からなり傾斜面を有するリブと、を含むＡＣ型プラズマディスプレイパネルであって、前記傾斜面の表面には前記一対のサスティン電極が形成され、前記一対のサスティン電極は、前記放電ギャップとは反対側の縁部から放電ギャップ近傍に向かって徐々に浅くなるように前記誘電体内に埋設されていることを特徴とするＡＣ型プラズマディスプレイパネル。
【請求項２】
前記一対の基板の他方の基板上に前記サスティン電極の伸長方向に直交する方向に前記放電空間を単位発光領域毎に区画する帯状の隔壁を有し、前記隔壁と前記誘電体層が密着してなることを特徴とする請求項１記載のＡＣ型プラズマディスプレイパネル。
【発明の詳細な説明】
【０００１】
【発明の属する技術分野】
本発明は、ＡＣ型プラズマディスプレイパネルに関する。
【０００２】
【従来の技術】
ドットマトリクス型の平面表示装置として、例えばプラズマディスプレイパネル（ＰＤＰ）が知られている。ＰＤＰは、パソコン、ワープロ等の表示装置としても多用されており、また高速の表示が可能であり且つ大型画面の実現が容易であることから、特に２０インチ以上の大型フラット型表示手段として期待されている。
【０００３】
図２は、ＡＣ駆動方式の３電極構造を有する面放電型ＰＤＰを示し、放電空間７を介して対向配置された一対のガラス基板１、２の表示面側のガラス基板１の内面に互いに平行に隣接配置された一対のサスティン電極（維持電極）Ｘ、Ｙ、サスティン電極Ｘ、Ｙを覆う誘電体層５、誘電体層５を覆うＭｇＯからなる保護層６が設けられている。尚、サスティン電極Ｘ、Ｙは、それぞれ幅の広い帯状の透明導電膜（透明電極）４とその導電性を補うために重ねられた金属膜（バス電極）３とから構成されている。尚、サスティン電極Ｘ，Ｙは単位発光領域（画素）毎に対向する突出部４ａを有している。
【０００４】
一方、背面側のガラス基板２の内面上にサスティン電極Ｘ、Ｙと直交する方向に設けられ、放電空間７を単位発光領域毎に区画する隔壁１０、各隔壁１０間のガラス基板上にサスティン電極Ｘ、Ｙと直交する方向に設けられたアドレス電極１１、及び所定発光色の蛍光体層８が設けられている。ここで、放電空間７には、ネオンに少量のキセノンを混合した放電ガスが封入されている。
【０００５】
このようなＰＤＰの表示に際しては、例えば、サスティン電極Ｘ、Ｙに放電開始電圧を越える駆動電圧を加える。これにより、誘電体層５の表面方向に面放電が生じ、誘電体層の表面に所定の壁電荷が蓄積し、放電が停止する。その後、壁電荷と反対の極性のサスティンパルスをサスティン電極Ｘ、Ｙに交互に加える毎に面放電が生じ、このとき発生する紫外線によって蛍光体層８が励起されて発光する。
【０００６】
【発明が解決しようとする課題】
ところで、ＰＤＰにおいては、表示動作を安定させるために放電開始電圧の低減、放電電流の制限、誤放電の抑制を図る必要があり、それらに対して次のような手段が考えられている。
（１）放電開始電圧の低減に対しては、サスティン電極の突出部４ａの幅を所定の範囲にする。または、誘電体層の膜厚を薄くする。
（２）放電電流の制限に対しては、サスティン電極の突出部４ａの形状をＴ字状にする。または、誘電体層を低誘電率の材料で構成する。
（３）誤放電防止に対しては、バス電極上の誘電体層の表面を他の部分に対して突出される。
【０００７】
しかしながら、上述の各手段には、次のような欠点があった。
（１），（２）のような電極形状では、画素の微細化が困難である。また、低誘電率の誘電体材料としては、アルカリ系の低融点ガラスしかなく、透明電極の変色などの製造上の問題が生じる。さらに、（３）の手段では、隔壁を誘電体層の突出部と当接させたとしても隣接画素（放電セル）との間に微小間隙が生じているので遮蔽効果が不十分であり、画素の微細化に伴い、相互干渉による誤放電が生じ易くなる。
本発明は、上述の問題に鑑み、画素を微細化しても、表示動作が得られるプラズマディスプレイパネルを提供することを目的としている。
【０００８】
【課題を解決するための手段】
請求項１の発明は、放電空間を挟み対向する一対の基板と、一対の基板の内面上に設けられ、平坦な表面を有する誘電体層内に放電ギャップだけ離れて配置された一対のサスティン電極と、誘電体からなり傾斜面を有するリブとを含むＡＣ型プラズマディスプレイパネルであって、傾斜面の表面には一対のサスティン電極が形成され、一対のサスティン電極は、放電ギャップとは反対側の縁部から放電ギャップ近傍に向かって徐々に浅くなるように誘電体内に埋設されていることを特徴とする。請求項２の発明は、請求項１記載の発明であって、一対の基板の他方の基板上にサスティン電極の伸長方向に直交する方向に放電空間を単位発光領域毎に区画する帯状の隔壁を有し、隔壁と誘電体層が密着してなることを特徴とする。
【０００９】
【作用】
本発明のＡＣ型プラズマディスプレイパネルでは、一対のサスティン電極が放電ギャップとは反対側の縁部から放電ギャップ近傍に向かって徐々に浅くなるように誘電体層内に埋設されているので、放電ギャップ近傍のサスティン電極の誘電体層表面との距離で決定される放電開始電圧を任意に設定できる。また、サスティン電極と誘電体層表面との距離は放電ギャップ近傍から離れるに従って大きくなる（キャパシタンスが小さくなる）ため、放電の拡がりが抑制され放電電流を制限できる。さらに、誘電体層表面に突出部がないため画素の微細化が可能となる。
【００１０】
【発明の実施の形態】
以下、本発明の実施の形態によるＡＣ型プラズマディスプレイパネルを図１に基づいて説明する。図１は、３電極構造を採る面放電型交流型プラズマディスプレイパネルを構成する複数の画素セルのうちの１つの断面構造を示す。この画素セルは、表示面となる透明な表示面側のガラス基板１と、背面側のガラス基板２とが例えば１００〜２００μｍの間隙を介して互いに平行に対向している。さらに、表示面側のガラス基板１と背面側のガラス基板２との間隙を保持するために背面側のガラス基板２に隔壁（図示せず）が形成され、表示面側のガラス基板１と背面側のガラス基板２との間に放電空間７が形成される。
【００１１】
表示面側のガラス基板１には、背面側のガラス基板２と対向する面に、ストライプ状の誘電体からなるリブ９を形成し焼成する。リブ９は緩やかな傾斜面９ａを有している。リブ９の中央に放電ギャップを形成するように、対をなすサスティン電極Ｘ，Ｙが形成されている。サスティン電極はＩＴＯ、又は酸化錫（ＳｎＯ２）などの蒸着によりおよそ数千オングストロームの膜厚で互いに平行に伸長する透明導電膜（透明電極）４，４と、この透明導電膜４の導電率を向上せしめるために、透明導電膜の幅よりも狭い幅にて積層形成された金属膜３からなる。サスティン電極の上に誘電体層５が２０〜５０μｍの膜厚で形成され、誘電体層５の上に酸化マグネシウム（ＭｇＯ）からなる保護層６がおよそ数百オングストロームの膜厚で積層形成されている。
【００１２】
上記誘電体層５は、軟化点が６５０℃以下であり且つ比誘電率が８以下の低融点ガラスにて形成されている。そして、この低融点ガラスは、組成に少なくとも酸化ナトリウム（Ｎａ２Ｏ）及び酸化ほう素（Ｂ２Ｏ３）を含むものである。尚、誘電体層５の表面は、焼成時のレベリングなどにより平坦面となっている。
【００１３】
一方、背面側のガラス基板２には、表示面側のガラス基板１と対向する面に、アドレス電極１１が形成されている。このアドレス電極１１は、例えばＡｌやＡｌ合金からなり、サスティン電極Ｘ，Ｙと対向しながらサスティン電極Ｘ，Ｙの伸長方向と直交する方向におよそ１μｍの膜厚で伸長して形成されている。また、アドレス電極１１はＡｌやＡｌ合金などの反射率の高い金属にて形成されているので、波長帯域：３８０〜６５０ｎｍにおいて、８０％以上の反射率を有している。
【００１４】
さらに、例えば背面側のガラス基板２のアドレス電極１１を覆うように蛍光体層８が形成される。上記プラズマディスプレイパネルにおいてカラー表示を行う場合は、例えばアドレス電極毎に３色、すなわちＲ，Ｇ，Ｂの蛍光体のうちの１つが順に対応して蛍光体層として形成される。
【００１５】
このようにして、サスティン電極対Ｘ，Ｙとアドレス電極１１との交点を中心とする発光領域の１つが放電空間７に形成されて画素セルが構成される。そして、プラズマディスプレイパネルのカラー表示を行う場合、各画素セルが蛍光体の３色のうちの対応する色に発光する。
【００１６】
上述の如く、サスティン電極対Ｘ，Ｙ及びアドレス電極１１がそれぞれ形成された表示面側のガラス基板１及び背面側のガラス基板２は封着されて放電空間７の排気が行われ、さらにベーキングにより保護層６（ＭｇＯ層）の表面が活性化される。次に、放電空間７に希ガスとして例えばキセノン（Ｘｅ）を１〜１０％含む不活性混合ガスが２００〜６００ｔｏｒｒ封入される。
【００１７】
上述の如く形成されたプラズマディスプレイパネルにおいて、サスティン電極対Ｘ，Ｙには画素セルの発光開始、発光維持及び消去を駆動制御するパルス電圧が印加され、アドレス電極１１には各画素セルの画像データパルスが印加されて、各画素セルの発光の開始、維持及び消去が行われる。
【００１８】
上述したような構成のプラズマディスプレイパネルでは、透明導電膜４の放電ギャップを形成する側がリブ９の傾斜面９ａに沿って突出部４ａを形成しており、透明導電膜４は放電ギャップの部分で最も放電空間７に接近し、金属膜３側に近いほど放電空間７から離れる構成になっている。すなわち、図１に示すｔ１は、透明導電膜４が放電空間７に最も接近した場合における透明導電膜４と放電空間７の間の誘電体層５の厚さを示し、ｔ２は誘電体層５の全厚を示す。
【００１９】
従って、誘電体層としての観点からは、透明導電膜４は、誘電体層５と誘電体からなるリブ９により埋設された形となる。リブ９の傾斜面９ａの傾斜を任意に設定することができるため、放電開始電圧の設定が容易となる。また、放電ギャップＧと放電空間７との間の誘電体層５が他の部分に比べ薄くなるため、放電が放電ギャップ近傍に生じ他の部分の放電を抑制できる。
【００２０】
また、隔壁１０は、誘電体層５の放電空間７側が平面であるため、隔壁１０と誘電体層５を容易に密着せしめることができる。そのため隣接画素の誤放電も抑制できる。
【００２１】
【発明の効果】
本発明のＡＣ型プラズマディスプレイパネルでは、一対のサスティン電極が放電ギャップとは反対側の縁部から放電ギャップ近傍に向かって徐々に浅くなるように誘電体層内に埋設されているので、放電開始電圧を任意に設定でき、放電電流を制限できる。さらに、誘電体層表面に突出部がないため画素の微細化が可能となる。
【図面の簡単な説明】
【図１】本発明の実施の形態によるプラズマディスプレイパネルの構成を示す図である。
【図２】従来のＡＣ駆動方式の３電極構造を有する面放電型ＰＤＰを示す図である。
【符号の説明】
１、２  ・・・・・  ガラス基板
３  ・・・・・  金属膜
４  ・・・・・  透明導電膜
４ａ  ・・・・・  突出部
５  ・・・・・  誘電体層
６  ・・・・・  保護層
７  ・・・・・  放電空間
８  ・・・・・  蛍光体層
９  ・・・・・  リブ
９ａ  ・・・・・  傾斜面
１０  ・・・・・  隔壁
１１  ・・・・・  アドレス電極
【図１】
0003580461.tif 000002
【図２】
0003580461.tif 000003